(57)【要約】【課題】  薄型の液晶表示装置及びバックライト装置を得る。【解決手段】  光を拡散する拡散シート３６と、拡散板の背後に配置された光源部４０を有し、光源部から出射された光を拡散板で拡散して面発光を得るバックライト装置１４である。光源部は拡散板と平行な平面に沿って配置された複数の発光部５０を有する。複数の発光部はそれぞれ、拡散板に対向する出射面６８を備えた透光性の材料からなる基材６６と、基材の内部に埋め込まれた発光素子７２と、発光素子で発生した光を出射面の全域又はほぼ全域から拡散板に向かって垂直又はほぼ垂直に案内する反射面７７、反射部７０を備えている。【選択図】図１
2006120355.tif 000002
【特許請求の範囲】
【請求項１】
光を拡散するシート状の拡散部材と、
上記拡散部材の背後に配置された光源部を有し、
上記光源部から出射された光を上記拡散部材で拡散して面発光を得るバックライト装置において、
上記光源部は上記拡散部材と平行な平面に沿って配置された複数の発光部を有し、
上記複数の発光部はそれぞれ、
上記拡散部材に対向する出射面を備えた透光性の材料からなる基材と、
上記基材の内部に埋め込まれた発光素子と、
上記発光素子で発生した光を上記出射面の全域又はほぼ全域から上記拡散部材に向かって垂直又はほぼ垂直に案内する光案内部を備えたことを特徴とするバックライト装置。
【請求項２】
上記発光部の出射面が矩形の平面形状を有することを特徴とする請求項１に記載のバックライト装置。
【請求項３】
上記光案内部は、上記発光素子から出射された光を反射して上記拡散部材に垂直又はほぼ垂直に案内する反射部を備えていることを特徴とする請求項１又は２に記載のバックライト装置。
【請求項４】
上記光案内部は、
上記出射面に形成されており、上記発光素子から出射された第１の光が臨界角未満の入射角をもって直接入射され且つ上記臨界角未満の入射角度をもって直接入射された第１の光を上記拡散部材に向けて垂直又はほぼ垂直に出射する第１の表面部と、
上記出射面に形成されており、上記発光素子から出射された第２の光が臨界角以上の入射角をもって直接に入射されると共に上記臨界角以上の入射角をもって入射された第２の光を内部反射する第２の表面部と、
上記基材の表面に形成されており、上記第２の表面部で内部反射した第２の光を反射して上記第２の表面部に臨界角未満の入射角をもって入射させた後に上記第２の表面部から上記拡散部材に向けて垂直又はほぼ垂直に出射させる反射部を備えたことを特徴とする請求項１〜３のいずれかに記載のバックライト装置。
【請求項５】
上記複数の発光部のうちの少なくとも２つの隣接する発光部の間には隙間が形成されており、上記隙間には上記発光部から上記拡散部材に向かう方向に伸び且つ上記拡散部材を支持するピンが配置されていることを特徴とする請求項１〜４のいずれかに記載のバックライト装置。
【請求項６】
上記光源部は上記拡散部材と平行に配置された複数の発光部搭載基板を有し、上記発光部が上記発光部搭載基板上で第１の方向と上記平面に沿って上記第１の方向に直交する第２の方向に配置されていることを特徴とする請求項１〜５のいずれかに記載のバックライト装置。
【請求項７】
上記発光部搭載基板上で上記第１の方向に配置された複数の発光部が対応する一つの光量調整部に接続されていることを特徴とする請求項６に記載のバックライト装置。
【請求項８】
上記発光素子は、赤色、緑色、青色の光を出射する３つの発光源を備えていることを特徴とする請求項１〜７のいずれかに記載のバックライト装置。
【請求項９】
請求項１〜８のいずれか一つに記載のバックライト装置と、上記バックライト装置の拡散部材から出射された光が投射される液晶パネルを備えたことを特徴とする液晶表示装置。
【発明の詳細な説明】
【技術分野】
【０００１】
本発明は、液晶表示装置に用いられるバックライト装置及びこのバックライト装置を備えた液晶表示装置に関する。
【背景技術】
【０００２】
コンピュータの表示装置として利用されている液晶表示装置は、液晶自体が非発光性であることから、いわゆるバックライト装置のような照明装置を必要とする。このようなバックライト装置の光源として、従来、冷陰極管等の細径の蛍光管が一般的に用いられている。一方、冷陰極管の配置方法として、液晶パネルの縁に沿って蛍光管を配置したエッジライト方式と、液晶パネルの背後に複数の蛍光管を配置した直下方式が知られている（特許文献１参照）。これら２つの方式を比べると、直下方式は蛍光管から出射される光が導光板等を経ることなく直接出射されるのでエッジライト方式よりも光の利用効率が高い。そのため、直下方式は高輝度が要求されるテレビジョン受像機などの用途に適している。
【０００３】
【特許文献１】特開２００４−１８６０８０号公報
【０００４】
具体的に、図９と図１０を参照して直下方式を採用した従来のバックライト装置を簡単に説明する。図示するように、液晶パネル１１０の背後に配置されるバックライト装置１１２は、四角形のフロントフレーム１１４を有する。フロントフレーム１１４の内側には、複数の透光板を積層した透光部１１６が収容されている。図示する従来例において、透光部１１６は、液晶パネル側から順番に配置された４枚の透光板、すなわち偏光シート１１８、フロント側拡散シート１２０、リア側拡散シート１２２、拡散板１２４を有する。透光部の背後には、リアフレーム１２６が配置されている。リアフレーム１２６は、一枚の板を折り曲げ、透光部１１６と所定の間隔をあけて対向する四角形の基部１２８と、基部１２８の対向する両縁部から上方に向けて折り曲げられた支持部１３０が形成されており、両支持部１３０が透光部１１６を支持するように、フロントフレーム１１４の内側に配置されて固定されている。リアフレーム１２６の内側に形成された空間１３２には、複数の冷陰極管（蛍光管）１３４が並列に配置されている。これら冷陰極管１３４は、２つの支持台１３６によって所定の位置に保持され、それぞれの両端がランプ支持ブロック１３８に支持されている。また、基部１２８は所定の間隔をあけて配置された複数のスペーサピン１４０を支持しており、各スペーサピン１４０の上端を透光部１１６に当接して該
透光部１１６の撓みを防止している。リアフレーム１２６の背後には、冷陰極管点灯用インバータ１４２が配置されており、このインバータ１４２に複数の冷陰極管１３４が接続されている。
【０００５】
このように構成されたバックライト装置１１２によれば、インバータ１４２から電力が供給されることによって複数の冷陰極管１３４が光を発する。冷陰極管１３４から出射した光のうち、冷陰極管１３４から透光部１１６に向かって進む光（図面の上方に進む光）は、透光部１１６に直接入射する。また、冷陰極管１３４からリアフレーム１２６に向かって進む光（図面の下方及び横方向に進む光）は、リアフレーム１２６に反射し、または隣接する冷陰極管１３４に反射した後、透光部１１６に入射する。そして、透光部１１６に到達した光は、拡散板１２４と拡散シート１２０，１２２によって拡散される。このとき、拡散板１２４はこれに入射した光の視野角を拡大する。また、拡散シート１２０，１２２は拡大された視野角を狭める。そのため、最後の拡散シート１２０から出射する光は高輝度の均一面発光となっている。最後に、拡散シート１２０から出射した光は偏光シート１１８に入射し、そこで特定の方向に偏光されて液晶パネル１１０に入射する。
【０００６】
しかし、上述のバックライト装置１１２では、光源として冷陰極管１３４を使用しており、この冷陰極管１３４は横断面上の全方向に光を出射するものである。そのため、冷陰極管１３４からリアフレーム１２６に向かって出射した光を回収して有効利用するために、冷陰極管１３４とその背後に配置されるリアフレーム１２６との間に所定の間隔を設けると共に隣接する冷陰極管１３４の間にある程度の大きさの隙間を設け、これにより冷陰極管１３４からリアフレーム１２６に入射する光を反射し、隣接する冷陰極管１３４の間の隙間を通じて液晶パネル１１０に送ることが必要である。そのため、透光部１１６に垂直な方向の寸法が大きくなり、そのことが液晶表示装置を小型化するうえで問題となっている。また、冷陰極管１３４は所定の間隔をあけて配置されているため、冷陰極管１３４の直上に位置する透光部領域に入射する光量は、隣接する冷陰極管１３４の中間領域に対向する透光部領域に入射する光量よりも多く、このことが液晶パネル１１０に表示される画像の輝度むらを招く原因となる。そこで、液晶パネルに表示される画像の輝度むらを無くすために、上述のように透光部１１６に多数の拡散部材（拡散板１２４、拡散シート１２０，１２２）を設ける必要がある。
【０００７】
さらに、冷陰極管１３４はブラウン管に比べると色再現性が悪いという欠点がある。この問題を解消するためにバックライト光源として半導体発光素子である発光ダイオードを利用することも考えられるが、カラー画像を再生するためには赤・青・緑の色の光を発生する３種類の発光ダイオードを設けなればならない。この場合、３つの発光ダイオードから出射した光を十分に混色させて白色光を生成するために、発光ダイオードから液晶パネルまでの距離を十分大きく取らなければならず、そのためにバックライト装置の厚みが大きくなるという問題がある。
【発明の開示】
【発明が解決しようとする課題】
【０００８】
そこで、本発明は、冷陰極管に代わる別の光源を利用し、小型のバックライト装置及び液晶表示装置を提供することを目的とする。
【課題を解決するための手段】
【０００９】
この目的を達成するため、本発明の第１の形態は、
光を拡散するシート状の拡散部材と、
上記拡散部材の背後に配置された光源部を有し、
上記光源部から出射された光を上記拡散部材で拡散して面発光を得るバックライト装置において、
上記光源部は上記拡散部材と平行な平面に沿って配置された複数の発光部を有し、
上記複数の発光部はそれぞれ、
上記拡散部材に対向する出射面を備えた透光性の材料からなる基材と、
上記基材の内部に埋め込まれた発光素子と、
上記発光素子で発生した光を上記出射面の全域又はほぼ全域から上記拡散部材に向かって垂直又はほぼ垂直に案内する光案内部を備えたことを特徴とする。
【００１０】
本発明の第２の形態に係るバックライト装置は、上記発光部の出射面が矩形の平面形状を有することを特徴とする。
【００１１】
本発明の第３の形態に係るバックライト装置は、上記光案内部が、上記発光素子から出射された光を反射して上記拡散部材に垂直又はほぼ垂直に案内する反射部を備えていることを特徴とする。
【００１２】
本発明の第４の形態に係るバックライト装置は、
上記光案内部が、
上記出射面に形成されており、上記発光素子から出射された第１の光が臨界角未満の入射角をもって直接入射され且つ上記臨界角未満の入射角度をもって直接入射された第１の光を上記拡散部材に向けて垂直又はほぼ垂直に出射する第１の表面部と、
上記出射面に形成されており、上記発光素子から出射された第２の光が臨界角以上の入射角をもって直接に入射されると共に上記臨界角以上の入射角をもって入射された第２の光を内部反射する第２の表面部と、
上記基材の表面に形成され、上記第２の表面部で内部反射した第２の光を反射して上記第２の表面部に臨界角未満の入射角をもって入射させた後に上記第２の表面部から上記拡散部材に向けて垂直又はほぼ垂直に出射させる反射部を備えたことを特徴とする。
【００１３】
本発明の第５の形態に係るバックライト装置は、
上記複数の発光部のうちの少なくとも２つの隣接する発光部の間には隙間が形成されており、上記隙間には上記発光部から上記拡散部材に向かう方向に伸び且つ上記拡散部材を支持するピンが配置されていることを特徴とする。
【００１４】
本発明の第６の形態に係るバックライト装置は、上記光源部は上記拡散部材と平行に配置された複数の発光部搭載基板を有し、上記発光部が上記発光部搭載基板上で第１の方向と上記平面に沿って上記第１の方向に直交する第２の方向に配置されていることを特徴とする。
【００１５】
本発明の第７の形態に係るバックライト装置は、上記発光部搭載基板上で上記第１の方向に配置された複数の発光部が対応する一つの光量調整部に接続されていることを特徴とする。
【００１６】
本発明の第８の形態に係るバックライト装置は、上記発光素子が、赤色、緑色、青色の光を出射する３つの発光源を備えていることを特徴とする。
【００１７】
本発明の液晶表示装置は、上述のいずれかの形態のバックライト装置と、上記バックライト装置の拡散部材から出射された光が投射される液晶パネルを備えたことを特徴とする。
【発明の効果】
【００１８】
第１の形態のバックライト装置によれば、発光素子で発生した光は発光部の出射面全域又はほぼ全域から拡散部材に向かって垂直又はほぼ垂直に案内される。そのため、管状の冷陰極管を用いたバックライト装置では該冷陰極管から全方向に出射した光を有効利用するために冷陰極管の背後に空間を形成する必要があり、そのためにバックライト装置の厚みが大きくなるという問題があったが、本発明のバックライト装置では発光部の背後にそのような空間を設ける必要がないので、全体の厚みを小さくして小型化できる。
【００１９】
第２の形態のバックライト装置では、発光部の出射面が矩形を有することから、複数の発光部を拡散部材と平行に隙間無く又はほぼ隙間無く配置し、拡散部材に向かって進む面状光束を得ることができる。
【００２０】
第３の形態のバックライト装置は発光素子から斜め方向又は横方向に出射された光を反射して拡散部材に垂直又はほぼ垂直に案内されるので、発光素子から出射した光を有効に活用できる。
【００２１】
第４の形態のバックライト装置は、発光素子から出射面に臨界角以上の角度をもって斜めに入射する光が該出射面と反射部で反射された後に出射面から拡散部材に向かって垂直又はほぼ垂直に案内されるので、発光素子から出射した光を有効に活用できる。
【００２２】
第５の形態のバックライト装置は、隣接する発光部の間に配置されたピンによって拡散部材が支持されるので、拡散部材の撓みがなく、均一な面発光を得ることができる。
【００２３】
第６の形態のバックライト装置は、個々の発光部搭載基板をこれに支持した複数の発光部と共に取り外すことができるので、組立とメンテナンスが容易になる。
【００２４】
第７の形態のバックライト装置は、個々の発光部搭載基板に搭載された多数の発光部の中で第１の方向に配置された複数の発光部が一つの光量調整部に接続されているので、これら複数の発光部の光量を一つユニットとして一つの光量調整部で調整できる。
【００２５】
第８の形態のバックライト装置は、発光素子が赤色、緑色、青色の発光源を備えているので、このバックライト装置を備えた液晶表示装置に対して、これら３つの色を混合した白色光を供給することができる。
【００２６】
本発明の液晶表示装置には、上述の各形態のバックライト装置が有する利点が与えられる。
【発明を実施するための最良の形態】
【００２７】
以下、図面を参照して、本発明に係る好適な実施の形態を説明する。なお、以下の説明では、特定の方向を示す用語（例えば「上」、「下」、「右」、「左」）及びそれらの用語を含む別の用語（例えば「上方」、「下方」、「右側」、「左側」）を適宜使用するが、それらの使用は図面を参照した発明の理解を容易にするためであって、それらの用語によって発明の技術的範囲が限定されものではない。したがって、以下に説明する発明の実施形態を上下反転して、または任意の方向（例えば、時計回り方向又は反時計回り方向）に所定角度（例えば、９０度）回転した形態も当然本発明の技術的範囲に属するものである。
【００２８】
図１は液晶表示装置の断面図で、図示する液晶表示装置１０は液晶パネル１２と該液晶パネル１２の背後に配置されたバックライト装置１４を備えている。液晶パネル１２は、従来から知られているすべての液晶パネルを利用でき、液晶の種類やパネル構造によって本発明の液晶表示装置が限定されるものではない。
【００２９】
バックライト装置１４は、箱形の筐体１６を有する。図２に示ように、筐体１６は、概略、液晶パネル１２に隣接して配置されるフロントフレーム１８と、該フロントフレーム１８の内側に挿入されるリアフレーム２０を有する。フロントフレーム１８は、長方形の横枠２２と、液晶パネル１２に対向する横枠２２の縁部（図の上端縁部）から内側に突出するフランジ部２４を有し、このフランジ部２４の内側に面発光領域となる開口部２６が形成されている。リアフレーム２０は、液晶パネル１２に対向する領域（上部領域）を開放した箱形をしており、フロントフレーム１８の開口部２６に所定の間隔をあけて対向する四角形の底部２８と、底部２８の周縁から液晶パネル１２に向かって上方に伸びる側壁３０を有し、リアフレーム２０の内側に後述する光源部を収容する矩形の空間３２が形成されている。
【００３０】
空間３２の内部には、開口部２６の近傍に、開口部２６よりも大きな複数の透光板が積層されて配置されている。実施の形態において、複数の透光板は、リアフレーム２０の底部から液晶パネル１２に向かって順番に、硬質透明材料からなる自立性のある透明板（支持板）３４と、入射した光を拡散させる軟質シート状態の拡散シート（拡散部材）３６と、入射した光のうち特定の方向に振動する光成分だけを透過させる偏光板３８を有し、図１に示すように、フロントフレーム１８のフランジ部２４とリアフレーム２０の側壁３０に挟まれて保持されている。
【００３１】
空間３２の底部には光源部４０が配置されている。光源部４０は、後述する多数の発光部を支持する複数の発光部搭載基板４２を有する。実施の形態において、複数の発光部搭載基板４２は、液晶パネル１２及び開口部２６と平行な平面に沿って、空間３２内のほぼ全域に敷設されている。各発光部搭載基板４２は、図４に詳細に示ように、一枚の板材を折り曲げて形成されており、矩形空間３２の短辺方向長さとほぼ同一の長さを有する一辺（長辺）と、矩形空間３２の長辺方向長さを均等に分割した長さの一辺（短辺）を有する長方形の底板部４４と、底板部４４の両短辺の一部を下方に折り曲げて形成された脚部４６と、底板部４４の両短辺の残り部分を上方に折り曲げて形成された固定部４８を有する。
【００３２】
各発光部搭載基板４２の上には多数の発光部５０が格子状に配置されて光源ユニット５２が形成されている。後に詳細に説明するように各発光部５０は四角形板状の外観を有し、底板部４４の表面全域又はほぼ全域に、隣接する発光部５０との間に隙間を設けることなく、または隣接する発光部５０との間には僅かな隙間（例えば、約５ｍｍ以下、好ましくは約２ｍｍ以下、更に好ましくは約１ｍｍ以下の隙間）をあけて固定されている。発光部５０の固定方法は任意であり、例えばねじ、接着剤、両面接着材が利用される。例えば、発光部５０が縦横３０ｍｍの平面寸法を有する場合、隣接する発光部５０との間には約１ｍｍの隙間をあけて配置される。また、例えば、３０インチ型のバックライト装置の場合、各発光部搭載基板４２の上に、縦横３０ｍｍの平面寸法を有する発光部５０が、底板部短辺方向（第１の方向）に３個、これと直交する方向（第２の方向）に１３個並べて配置される。そして、このように発光部５０を搭載した７枚の発光部搭載基板４２が図３に示すように平面配置されて面発光源が形成される。
【００３３】
空間３２内に配置された複数の光源ユニット５２は、各発光部搭載基板４２の固定部４８をリアフレーム２０の側壁３０にねじ等で着脱自在に連結して固定される。また、光源ユニット５２とリアフレーム底部２８との間には、脚部４６の存在によって、所定の厚みを有する空隙５４が形成される。この空隙５４は、電気配線用の空間として利用されるだけでなく、リアフレーム底部２８に形成された換気窓（換気用／放熱用の開口部）５６〔図１参照〕を通じて外気に接続され、発光部５０で発生した熱を排気するための空間として利用される。
【００３４】
図１に戻り、実施の形態では、３枚の透光板（透明板３４、拡散シート３６、偏光板３８）を背後から支持してそれらの撓みを防止するために、空間３２の内部には複数のスペーサピン６０が配置されている。スペーサピン６０は、円盤状の基部と、基部の中心から上方に向かって伸びる先細り形状の軸部からなり、リアフレーム底部２８上に配置され、発光部搭載基板４２に形成された貫通孔６２にその下方から軸部を挿入して保持され、この状態で軸部上端が透光板を支持している。これらの複数のスペーサピン６０は、図３に示すように、発光部５０を四分割した各領域の中央に配置するのが好ましい。ただし、開口部２６が小さく、または透明板３４の剛性が高く、透光板に撓みが発生しない場合、またはたとえ撓みが生じてもそれが問題無い程度の場合、スペーサピン６０は不要である。
【００３５】
図５と図６に示すように、発光部５０は、正方形の平面形状を有する板状の外観をしており、液晶パネル１２に対向する正方形の表面を有する。この表面は、ほぼ一定の厚みを有する透明板からなる被覆層６４によって形成されている。被覆層６４の下には、概略、下方に湾曲した皿形状の底面を有する透明基材６６が一体的に設けてある。透明基材６６は透明樹脂を一体的に成形して構成されており、被覆層６４の透明部材に接する面が出射面６８を形成し、透明基材６６の底面が高反射率を有する反射部（光案内部）７０を支持している。反射部７０は、例えば、透明基材６６の底面に金属を蒸着して形成される。透明基材６６の中央底部近傍には発光素子７２が埋め込まれている。実施の形態において、発光素子７２は、赤色、緑色、青色の光を出射する３つの発光源（赤色ダイオード、緑色ダイオード、青色ダイオード）７４Ｒ，７４Ｇ，７４Ｂを備えており、これら３つの発光源から赤色、緑色、青色の光が出射されるようにしてある。反射部７０の背後には、透明基材６６を支持するための支持部７５が設けてある。この支持部７５は、反射部７０の背後に樹脂をモールドして形成することができる。また、支持部７５の背後には、基板部７６が配置されている。
【００３６】
透明基材６６の底面は、発光部５０の中心に対して同心的に配置された複数の反射面７７が形成され、この反射面７７に沿って反射部７０が配置されており、これにより発光素子７２から出射した光がすべて液晶パネル１２に向かって垂直に又はほぼ垂直に出射されるようにしてある。具体的に、光の進行を具体的に説明すると、図６に示すように、発光素子７２から出射した光のうち、出射面６８の第１の表面部（光案内部）７８に全反射の臨界角未満の入射角をもって入射する第１の光８０は、透光部及び液晶パネル１２に向かってこれに垂直又はほぼ垂直に出射する。また、発光素子７２から出射した光のうち、出射面６８の第２の表面部（光案内部）８２に臨界角以上の入射角をもって入射する第２の光８４は出射面６８で内部反射する。内部反射した第２の光８４は、次に反射面７７（正確には反射部７０）で反射し、その後出射面６８に臨界角未満の入射角をもって再び入射し、出射面６８の第２の表面部８２から透光部及び液晶パネル１２に向かってこれに垂直又はほぼ垂直に出射する。また、実施の形態のように３色の光を発生する発光源７４Ｒ、７４Ｇ、７４Ｂを備えたものでは、出射面６８と反射部７０で反射された３つの光が適当に混色し、完全な白色光となる。そして、このような光の進行が保証されるように、反射面７７の形状が決定されている。
【００３７】
このような構成を採用したことにより、リアフレーム２０の内部に平面配置された多数の発光部５０は、全体として、拡散シート３６及び液晶パネル１２に向かって垂直又はほぼ垂直に進行する光束を出射する面光源を構成する。そして、面光源から出射された光は、透明板３４を透過し、拡散シート３６で拡散された後、偏光板３８で特定の方向に振動する成分のみを有する高輝度で且つ輝度むらの無い面発光が開口部２６を通じて液晶パネル１２に供給される。
【００３８】
したがって、実施の形態に係るバックライト装置１４によれば、四角形の出射面６８を備えた発光部５０が隙間無く又は僅かな隙間をあけて縦横配置されており、各発光部５０から出射する光はすべて拡散シート３６及び液晶パネル１２に向けて垂直又はほぼ垂直に進行する。そのため、光源部４０がほぼ均一な面光源を形成し、この面光源から出射した均一な光の束（面光束）を拡散シート３６に通すことで更に均一な面発光が得られる。
【００３９】
また、光源部４０から出射する光はすべて前方（拡散シート３６、液晶パネル１２に向かう方向）に進み、冷陰極管のように全方向に拡散することがないので、後方に進行する光を反射させて回収するための空間を発光部５０の背後に形成する必要がなく、全体としてバックライト装置１４の厚みを薄くすることができる。また、光源部４０から出射した光を極めて有効に利用することができる。
【００４０】
さらに、光源部４０から出射した光は拡散シート３６に垂直又はほぼ垂直に入射し、冷陰極管を用いたバックライト装置のように拡散シート３６に対してあらゆる方向成分を持った光が入射されることはない。したがって、光源部４０から出射された光を拡散するための拡散シート３６は省略することができる。また、拡散シート３６を使用する場合でも、冷陰極管を用いたバックライト装置に比べて、その使用枚数を減らすこともできるし、実施形態のように背後に自立性のある硬質透明板３４を配置すれば、拡散シート３６には軟質材料からなる非自立性の拡散シートが利用できる。この場合、透明板３４は硬質材料からなる自立性の拡散シート３６に比べて当然安価であることから、バックライト装置の更なるコストダウンが可能となる。
【００４１】
さらにまた、多数の発光部５０は、複数の発光部搭載基板４２に搭載されているため、光源部４０の組立や、発光部故障時等の交換作業が容易に行える。
【００４２】
バックライト装置１４の電気系について説明する。図１，２に示すように、リアフレーム２０の背後には、発光制御部８６と色調整部８８が設けてある。図７に詳細に示すように、各発光部搭載基板４２上で第１の方向に配置された複数（上述の実施形態では３個）の発光部５０の発光源（発光ダイオード）７４Ｒ，７４Ｇ，７４Ｂが発光色ごとに直列に接続されている。この電気的接続は、発光部搭載基板４２の背後に形成された空隙５４で行われる。
【００４３】
発光制御部８６において、直列に接続された複数の発光源７４Ｒ、７４Ｇ、７４Ｂは一つのばらつき調整回路（光量調整部）９０に接続されており、これら直列に接続された複数の発光源７４Ｒ、７４Ｇ、７４Ｂが一つの単位として輝度調整できるようにしてある。ばらつき調整回路９０はまた、ＤＣ／ＤＣコンバータ９２を介して電源９３に接続されている。ＤＣ／ＤＣコンバータ９２は、その出力を調整する出力調整回路９４に接続されている。また、ＤＣ／ＤＣコンバータ９２の出力は、デューティ制御回路９６を介してＲＧＢデューティ調整回路９８に接続されており、ＲＧＢデューティ調整回路９８で設定されたデューティ（オンデューティ：２〜１００％）に基づいてデューティ制御回路９６がＤＣ／ＤＣコンバータ９２の出力デューティを調整し、光源部４０全体の調光が行われるようにしてある。
【００４４】
色調整部８８は、各発光素子７２に一つの割合で図８に示す色調整回路１００を備えている。各色調整回路１００は、各発光源７４Ｒ、７４Ｇ、７４Ｂに接続されたトランジスタ１０２Ｒ、１０２Ｇ、１０２Ｂと可変抵抗１０４Ｒ、１０４Ｇ、１０４Ｂを備えており、可変抵抗１０４Ｒ、１０４Ｇ、１０４Ｂを調整することによって各トランジスタ１０２Ｒ、１０２Ｇ、１０２Ｂのベース電流を増減させて、発光源７４Ｒ、７４Ｇ、７４Ｂに印加される電流を調整して該発光源７４Ｒ、７４Ｇ、７４Ｂの発光量を調整できるようにしてある。したがって、各発光部５０及び各発光源７４Ｒ、７４Ｇ、７４Ｂから出射される光の色調を調整することができる。
【００４５】
なお、発光素子７２で発生する熱は、その背後に形成されている空隙５４から換気窓５６を通じて外部に放出される。そのため、発光素子７２の温度特性が安定する。
【００４６】
以上、本発明に係る液晶表示装置とバックライト装置の好ましい実施形態を説明したが、この実施形態は種々改良が可能である。例えば、図１に示すように、リアフレーム２０の内面（特に、側壁３０の内面）に高反射性の反射層１０６を形成し、光源部４０から出射された光を反射することにより有効に活用することができる。この場合、反射層１０６は、高反射性を有する反射シートを側壁内面に貼り付けることにより形成することもできるし、高反射性の塗料を塗布して形成することもできる。また、上記実施形態では、発光素子に３つの発光源（赤色、緑色、青色の光をそれぞれ発生する３つの発光ダイオード）を用いたが、発光素子を一つの発光源で構成することもできる。さらに、上記説明では発光部の一つの形態のみを示したが、特開２００４−１８６０９２号公報で提案されている種々の形態の発光部（発光光源）が本発明に提供可能である。
【図面の簡単な説明】
【００４７】
【図１】本発明に係る液晶表示装置およびバックライト装置の断面図。
【図２】図１に示すバックライト装置の分解斜視図。
【図３】光源部の平面図〔図３（ａ）〕と断面図〔図３（ｂ）〕。
【図４】光源ユニットの平面図〔図４（ａ）〕、左側面図〔図４（ｂ）〕、右側面図〔図４（ｃ）〕、正面図〔図４（ｄ）〕。
【図５】発光部の拡大断面図。
【図６】発光部から出射される光の経路を示す図。
【図７】出力調整回路の回路図。
【図８】色調整回路の回路図。
【図９】従来の液晶表示装置およびバックライト装置の断面図。
【図１０】図９に示すバックライト装置の分解斜視図。
【符号の説明】
【００４８】
１０：液晶表示装置、１２：液晶パネル、１４：バックライト装置、１６：筐体、１８：フロントフレーム、２０：リアフレーム、２２：横枠、２４：フランジ部、２６：開口部、２８：底部、３０：側壁、３２：空間、３４：透明板、３６：拡散板、３８：偏光板、４０：光源部、４２：発光部搭載基板、４４：底板部、４６：脚部、４８：固定部、５０：発光部、５２：光源ユニット、５４：空隙、５６：換気窓、６０：スペーサピン、６２：貫通孔、６４：被覆層、６６：透明基材、６８：出射面、７０：反射部、７２：発光素子、７４Ｒ、７４Ｇ、７４Ｂ：発光源、７５：支持部、７６：基板部、７７：反射面、７８：第１の表面部、８０：第１の光、８２：第２の表面部、８４：第２の光、８６：発光制御部、８８：色調整部、９０：ばらつき調整回路、９２：ＤＣ／ＤＣコンバータ、９３：電源、９４：出力調整回路、９６：デューティ制御回路、９８：ＲＧＢデューティ調整回路、１００：色調整回路、１０２Ｒ、１０２Ｇ、１０２Ｂ：トランジスタ、１０４Ｒ、１０４Ｇ、１０４Ｂ：可変抵抗、１１０：液晶パネル、１１２：バックライト装置、１１４：フロントフレーム、１１６：透光部、１１８：偏光シート、１２０：フロント側拡散シート、１２２：リア側拡散シート、１２４：拡散板、１２６：リアフレーム、１２８：基部、１３０：支持部、１３２：空間、１３４：冷陰極管、１３６：支持台、１３８：ランプ支持ブロック、１４０：スペーサピン、１４２：インバータ。
【図１】
2006120355.tif 000003
【図２】
2006120355.tif 000004
【図３】
2006120355.tif 000005
【図４】
2006120355.tif 000006
【図５】
2006120355.tif 000007
【図６】
2006120355.tif 000008
【図７】
2006120355.tif 000009
【図８】
2006120355.tif 000010
【図９】
2006120355.tif 000011
【図１０】
2006120355.tif 000012